(57)【要約】【課題】  ユーザがテレビプログラムコンテンツとより能動的に対話するのを可能にする。【解決手段】  ビデオコンテンツが表示されているビデオ装置の近くの移動装置に、ビデオコンテンツに関する対話型マテリアルを少なくとも部分的に無線によって配信する段階を含む方法。対話型マテリアルがビデオコンテンツに関する、ビデオコンテンツが表示されているビデオ装置の近くで移動装置が対話型マテリアルを表示するように構成されたソフトウェアを含む、移動装置を含む装置。【選択図】図２４
2015005292.tif 000002
【特許請求の範囲】
【請求項１】
ビデオコンテンツが表示されているビデオ装置の近くの移動装置に、ビデオコンテンツに関する対話型マテリアル（interactive material）を少なくとも部分的に無線によって（wirelessly）配信する段階
を含む方法。
【請求項２】
ビデオコンテンツと時間的に同期して、対話型マテリアルをユーザに表示する段階
を更に含む、請求項1記載の方法。
【請求項３】
対話型マテリアルが、ユーザからの入力を受信する要素を含む、請求項2記載の方法。
【請求項４】
対話型マテリアルのある項目に対するユーザの関心を表すタグを作成する段階
を更に含む、請求項1記載の方法。
【請求項５】
タグが、ビデオコンテンツの時間およびチャンネルを取り込むことによって作成される、請求項4記載の方法。
【請求項６】
ユーザが対話型マテリアルのある項目に関心を示した時に移動装置からサーバに問合せ（query）を送信することによって、タグが作成される、請求項4記載の方法。
【請求項７】
タグが、移動装置からの問合せに応答してサーバによって作成される、請求項4記載の方法。
【請求項８】
サーバが、ビデオコンテンツと動的に同期したタグをブロードキャストする（broadcast）、請求項4記載の方法。
【請求項９】
要素が、表示されるアイコンを含む、請求項3記載の方法。
【請求項１０】
対話型マテリアルが、テキスト、画像、ビデオ映像、オーディオのうちの少なくとも1つを含む情報を含む、請求項1記載の方法。
【請求項１１】
対話型マテリアルが、無線によって移動装置で受信される、請求項1記載の方法。
【請求項１２】
ビデオ装置がテレビまたはビデオ再生装置を含む、請求項1記載の方法。
【請求項１３】
対話型マテリアルがビデオコンテンツを補う、請求項1記載の方法。
【請求項１４】
移動装置が、リモートコントローラ、パーソナルデジタルアシスタント（personal digital assistant）又は、携帯電話のうちの少なくとも1つを含む、請求項1記載の方法。
【請求項１５】
対話型マテリアルの少なくとも一部を、ビデオコンテンツの視聴者に関連する好み（preference）情報に基づいて配信する段階
を更に含む、請求項1記載の方法。
【請求項１６】
ビデオコンテンツが表示されているビデオ装置の近くの移動装置で、ビデオコンテンツに関する対話型マテリアルを少なくとも部分的に無線によって受信する段階
を含む方法。
【請求項１７】
ビデオコンテンツが表示されているビデオ装置の近くの移動装置に配信されるまたは該移動装置で受信されるように適合化された、ビデオコンテンツに関係するように作成される、対話型マテリアルを作成する段階
を含む方法。
【請求項１８】
対話型マテリアルがビデオコンテンツに関する、ビデオコンテンツが表示されているビデオ装置の近くで移動装置が対話型マテリアルを表示するように構成されたソフトウェアを含む、移動装置
を含む装置。
【請求項１９】
移動装置が表示画面を含む、請求項18記載の装置。
【請求項２０】
移動装置がユーザ入出力機能を含む、請求項18記載の装置。
【請求項２１】
移動装置が無線通信機能を含む、請求項18記載の装置。
【請求項２２】
移動装置が、パーソナルデジタルアシスタント、電話、またはリモートコントローラを含む、請求項18記載の装置。
【請求項２３】
ビデオコンテンツが表示されているビデオ装置の近くの移動装置に、ビデオコンテンツに関する対話型マテリアルを少なくとも部分的に無線によって配信するように構成されたソフトウェアを含む、サーバ
を含む装置。
【請求項２４】
ビデオコンテンツが表示されているビデオ装置の近くの移動装置で、ビデオコンテンツに関する対話型マテリアルを少なくとも部分的に無線によって受信するように装置を構成するように適合化されたソフトウェアを保持する記憶媒体。
【請求項２５】
ビデオコンテンツが表示されているビデオ装置の近くの移動装置で、ビデオコンテンツに関する対話型マテリアルを配信するように装置を構成するように適合化されたソフトウェアを保持する記憶媒体。
【請求項２６】
サーバでビデオコンテンツのID（identification）を受信する段階；
ビデオコンテンツに関する対話マテリアルを識別する段階；および
ビデオコンテンツの視聴に関連してユーザが対話マテリアルと対話するのを可能にする段階
を含む方法。
【請求項２７】
ユーザが、自分の関心対象の対話マテリアルを示すことができる、請求項26記載の方法。
【請求項２８】
ユーザが関心を持ったマテリアルについてのユーザの指示に応答してタグを作成する段階を更に含む、請求項27記載の方法。
【請求項２９】
関心対象のマテリアルを、後でタグに基づいてユーザに提供することができる、請求項28記載の方法。
【請求項３０】
対話マテリアルが、関連するビデオコンテンツと同期してユーザに表示される、請求項26記載の方法。
【請求項３１】
ビデオコンテンツの視聴者が、ビデオコンテンツに関連する対話型コンテンツについての関心を登録するのを可能にする段階；および
対話型コンテンツを、ビデオコンテンツが視聴される時間よりも後で提供する段階
を含む方法。
【請求項３２】
視聴者が、移動装置と対話することによって自分の関心を登録する、請求項31記載の方法。
【請求項３３】
視聴者からの要求に応答して、対話型コンテンツが後で提供される、請求項31記載の方法。
【請求項３４】
ユーザと移動装置の対話に応答して、対話型コンテンツが提供される、請求項33記載の方法。
【発明の詳細な説明】
【技術分野】
【０００１】
背景
本出願は、2000年9月8日に出願された米国特許仮出願第06/231,285号の出願日の恩典を主張し、これは参照として本明細書に組み入れられている。
【０００２】
本発明はビデオ対話に関する。
【背景技術】
【０００３】
ある基本レベルのテレビ対話はたとえば、チャンネル、音量、画質、およびテレビ表示の他の局面をローカルに制御できるようにする簡単なリモートコントローラによって行われる。
【０００４】
ユーザがテレビプログラムコンテンツとより能動的に対話するのを可能にする様々な方式も提案されている。
【発明の開示】
【課題を解決するための手段】
【０００５】
概要
本発明において、パーソナルデジタルアシスタントまたは同様の装置上に第2の並列対話チャンネルを確立することにより、著しく高度な対話機能がユーザに与えられる。
【０００６】
一般に、一局面では、本発明は、ビデオコンテンツが表示されているビデオ装置の近くの移動装置に、ビデオコンテンツに関する対話型マテリアルを少なくとも部分的に無線によって配信する段階を含む方法を特徴とする。
【０００７】
本発明の実行（implementation）は、1つまたは複数の以下の特徴を含む。対話型マテリアルは、ビデオコンテンツと時間的に同期してユーザに表示される。対話型マテリアルは、ユーザからの入力を受信する要素（たとえば、表示されるアイコン）を含む。対話型マテリアルのある項目に対するユーザの関心を表すタグが作成される。このタグは、ビデオコンテンツの時間およびチャンネルを取り込むか、またはユーザが対話型マテリアルのある項目に関心を示した時に移動装置からサーバに問合せを送信することによって作成するか、または移動装置からの問合せに応答してサーバによって作成することができる。あるいは、サーバは、ビデオコンテンツと動的に同期したタグをブロードキャストすることができる。対話型マテリアルは、テキスト、画像、ビデオ映像、オーディオのうちの少なくとも1つを含む情報を含む。対話型マテリアルは、無線によって移動装置で受信される。ビデオ装置はテレビまたはビデオ再生装置を含む。対話型マテリアルはビデオコンテンツを補う。移動装置は、リモートコントローラ、パーソナルデジタルアシスタント、携帯電話のうちの少なくとも1つを含む。対話型マテリアルの少なくとも一部は、ビデオコンテンツの視聴者に関連する好み情報に基づいて配信される。
【０００８】
一般に、他の局面では、本発明は、ビデオコンテンツが表示されているビデオ装置の近くの移動装置で、ビデオコンテンツに関する対話型マテリアルを少なくとも部分的に無線によって受信する段階を含む方法を特徴とする。
【０００９】
一般に、他の局面では、本発明は、ビデオコンテンツが表示されているビデオ装置の近くの移動装置に配信されるまたは該移動装置で受信されるように適合化された、ビデオコンテンツに関係するように作成される対話型マテリアルを作成する段階を含む方法を特徴とする。
【００１０】
一般に、他の局面では、本発明は、移動装置に、ビデオコンテンツが表示されているビデオ装置の近くで、ビデオコンテンツに関する対話型マテリアルを表示させるように構成されたソフトウェアを含む移動装置を含む装置を特徴とする。本発明の実行において、移動装置は、表示画面、ユーザ入出力機能、および無線通信機能を含んでよい。移動装置は、パーソナルデジタルアシスタント、電話、またはリモートコントローラであってよい。
【００１１】
一般に、他の局面では、本発明は、ビデオコンテンツが表示されているビデオ装置の近くの移動装置に、ビデオコンテンツに関する対話型マテリアルを少なくとも部分的に無線によって配信するように構成されたソフトウェアを含むサーバを含む装置を特徴とする。
【００１２】
一般に、他の局面では、本発明は、ビデオコンテンツが表示されているビデオ装置の近くの移動装置で、ビデオコンテンツに関する対話型マテリアルを少なくとも部分的に無線によって受信するように装置を構成するように適合化されたソフトウェアを保持する記憶媒体を特徴とする。
【００１３】
一般に、他の局面では、本発明は、ビデオコンテンツが表示されているビデオ装置の近くの移動装置で、ビデオコンテンツに関する対話型マテリアルを配信するように装置を構成するように適合化されたソフトウェアを保持する記憶媒体を特徴とする。
【００１４】
一般に、他の局面では、本発明は、サーバでビデオコンテンツのIDを受信する段階、ビデオコンテンツに関する対話マテリアルを識別する段階、および、ユーザがビデオコンテンツの視聴に関連して対話マテリアルと対話するのを可能にする段階を含む方法を特徴とする。本発明の実行において、ユーザは関心対象の対話マテリアルを示すことができ、ユーザが関心を持ったマテリアルについてのユーザの指示に応答してタグが作成され、関心対象のマテリアルは、後でタグに基づいてユーザに提供され、この対話マテリアルは、関連するビデオコンテンツと同期してユーザに表示される。
【００１５】
本発明の利点には以下のうちの1つまたは複数が含まれる。
【００１６】
本発明は、ビデオコンテンツブロードキャストストリームの修正を必要とせず、またユーザが追加の機器を購入することも必要とせず、既存のビデオシステムおよびユーザの手持ち装置と併用することができ、インターネット接続のみを必要とする。
【００１７】
本発明は、関心対象のTVコンテンツがTV画面上に表示されたときに、ユーザが単に自分の手持ち装置の画面を軽くたたくのを可能にする、直感的で見た目のよいインタフェースを備えている。
【００１８】
コンテンツプロバイダについては、自分自身のサーバ上の対話リンクに必要な情報を提供するだけでよい。
【００１９】
本発明により、PDAユーザおよび携帯電話ユーザは、TVプログラムまたはコマーシャルにおける主題または個々の項目を「取り込んで」視聴経験を増し、関心対象のコンテンツに関する他の情報を収集することによって、TV視聴経験を増すことができる。本発明は、テレビの視聴経験の改善をテレビセット上ではなくユーザの手のひらで行えるようにすることによって画面の構成に関する問題を解消する。本発明は、視聴経験を妨害することを回避し、これは、ユーザが取り込んだコンテンツに直接対処する必要がないため保護される。
【００２０】
本発明により、テレビコマーシャルが改善され、ユーザは追加の情報を得ると共に商品を購入することができる。広告主は、目標とする販売促進商品をユーザに示すと共に、自分の宣伝の効果に関する瞬間的なフィードバックを得ることができる。
【００２１】
本発明により、ユーザの移動装置が、ユーザのテレビエンターテインメントシステム用の汎用リモート制御装置として働くことが可能になる。移動装置はまた、電子プログラミングガイド（EPG）の機能を表示すること、プログラミング用の特に目標とする販売促進商品を示すこと、および容易にアクセスされるプログラムスケジュールを示すことをすべて、コンテンツを改善する装置と同じ装置で行うことができる。
【００２２】
ユーザから許可が与えられると、移動装置は、ユーザによって「取り込まれた」コンテンツを、ユーザの事前に設定された関心に従って階層的に表示されるように構成することができる。広告主は、この情報を用いて、ユーザを対象とする販売促進商品を示すことができる。システムにより、ユーザの好みに基づいて表示を合理化するためのフィルタリングも可能になる。たとえば、ニュース放送における改善されたスポーツコンテンツを視聴するホッケー愛好者は、その日のテニスの試合に関する他の情報を視聴するのを望まない場合がある。このユーザはこのことを示すように自分のプロファイルを設定することができる。
【発明を実施するための最良の形態】
【００２３】
その他の利点および特徴は、以下の説明および添付の特許請求の範囲から明らかになると考えられる。
【００２４】
図24に示されているように、ユーザがビデオ装置10上でビデオコンテンツを視聴し使用する経験は、ユーザ12が、ビデオコンテンツと同期した移動装置14（高度なリモートコントローラなど）との対話を、たとえばユーザが関心を持った他のコンテンツを示すことにより可能にすることによって改善することができる。ユーザがビデオコンテンツを視聴する際、たとえば移動装置のディスプレイ18上の「ホットな」アイコン16や他の何らかの方法により、ビデオコンテンツに一致または関連する対話機会を定期的にユーザに与えることができる。
【００２５】
視聴者は、たとえば、タグ20の作成をトリガする（trigger）アイコンを呼び出すことによって、利用可能な対話に対する関心を示すことができる。タグは、移動装置14のローカルメモリ22に記憶し、かつ／または何らかの方法でリモートサーバ24に設けることができる。タグによって、サーバは、ユーザがただちに、または後で、または他の何らかの方法で対話を行えるようにすることができる。
【００２６】
タグ付けは、少なくとも以下の4つの方法のうちのどれかで行うことができる。
【００２７】
1.タグは、（移動装置上のシステムクロックを用いて）時間を取り込むタイムスタンプと、その時間に視聴されるビデオコンテンツのチャンネルであってよい。時間とチャンネルIDをまとめて「座標」と呼んでよい。座標23がリモートサーバ24に送信されると、サーバは座標に対応する対話情報関数26を検索することができ、移動装置にこの情報を返すか、または移動装置に対してこの関数を実行することができる。
【００２８】
2.タグは、ユーザがアイコンを呼び出すことによって関心を示したときにサーバに送信される問合せ26の形であってよい。サーバは、対応する情報または関数を用いて応答し、これらの情報または関数は次いで、ユーザとの対話に使用できるようにリモート装置に記憶される。
【００２９】
3.タグ付けは、視聴者が関心を示したときに移動装置がサーバに問合せを行うことに応答してサーバによって行うことができる。サーバは、埋め込みリンク28を含むタグを作成し、移動装置に返すことができ、タグは移動装置に記憶される。後で、ユーザは、このタグの表示バージョンまたは埋め込みリンクの表示バージョンをクリックすることによって、サーバにアクセスし対話情報または関数を検索することができる。
【００３０】
4.あるいは、サーバは、ユーザが視聴する変化するビデオコンテンツに動的に同期した変化する1組のタグを絶えずブロードキャストすることができる。ユーザが、関心対象のものを見るときには、現在のビデオコンテンツに対応する現在表示されているタグを呼び出す。タグは、埋め込みリンクを保持しており、ユーザは、リンクに対応する対話情報または関数にアクセスすることができる。      
【００３１】
タグ付け方法により、ユーザは、変化するビデオコンテンツストリームに同期的または非同期的に追加の情報および関数にアクセスしそれを検索することができる。たとえば、追加の情報または関数は、（a）ビデオコンテンツに含まれるニュースを補足する追加のニュース、（b）eコマースの機会、（c）インターネット上のウェブページ、（d）ニュースグループへの参加、（e）質問の機会、（e）将来のビデオコンテンツの記録のようなある動作を実行するよう移動装置を設定すること、または（f）リモートサーバ24のホストが選択して利用可能にすることのできる他の情報、処置、または取引きを含んでよい。
【００３２】
移動装置14は、電池30から電力を供給され、タッチスクリーン、キーパッド、音声を受信するマイクロフォンなどの入出力機能32を含んでよい。（従来のリモートコントローラと同様に）ビデオ装置を制御すると共に、ビデオ装置上に情報を表示するためにビデオ装置に無線アクセスできるようにする無線アクセス機能34を含んでよい。第2の無線アクセス機能36は、タグ、問合せ、座標、ならびに対話情報および関数を伝達するためにインターネットまたは他のワイドエリアネットワークに無線アクセスできるようにする。（場合によっては、ビデオ装置がネットワーク40を通じて通信を行うことができる場合、無線機能36を実現するにはビデオ装置への無線アクセス34で十分である。）
【００３３】
移動装置は、以下の機能を実行するように構成されたソフトウェア42を実行する：（1）ネットワーク40を通じてサーバ24にアクセスする安全なネットワーキング機能を実現すること；（2）テキストおよび画像を表示し、音声およびビデオ映像を実行すること；（3）前述のように情報にタグ付けすること；および（4）前述のように情報を記憶すること。
【００３４】
対話情報および関数は、まとめて「対話コンテンツ」46と呼ぶことができ、対話コンテンツ作成者によってコンテンツ作成ソフトウェア44を用いて作成され、次いで実行時に使用できるようにサーバにロードされる。コンテンツ作成者は、ビデオフィード60がユーザのビデオ装置に配信される前に作成者が知ることができるビデオフィード60の様々なチャンネル上の、ビデオコンテンツに基づいて、対話コンテンツを作成する。対話コンテンツの各項目は、ビデオコンテンツの1つまたは複数のセグメントに関係付けることができ、コンテンツ作成の一部としてこのセグメントに関連付けることができる。
【００３５】
コンテンツ作成ソフトウェアは、以下の機能を提供する：（1）コンテンツ作成者が、ユーザに伝達されるビデオコンテンツに同期すべき情報および関数を作成するのを可能にするグラフィカルユーザインタフェース；（2）作成者が、オーディオ、ビデオ映像、テキスト、および画像を含むタグを構築するのを可能にするタグ付け機能；（3）コンテンツ作成者がアイコンならびに対話情報および関数を構築するのを可能にする機能；（4）リンクの妥当性を検査するためのソフトウェアの試験；ならびに（5）完成した対話コンテンツをステージング（staging）サーバ24にマウントするステージングソフトウェア。対話コンテンツは、サーバに記憶されている対話情報関数26にロードされる。同時に、ビデオコンテンツセグメントを関連する対話セグメントに関連付けるテーブルまたはマップをサーバにロードすることができる。
【００３６】
サーバは、（1）コンテンツ作成ソフトウェアを用いて作成された対話コンテンツ46を管理して処理し、（2）移動装置からの複数の同時要求を管理するネットワーキング機能を実現し、（3）ユーザに対して対話コンテンツをカスタマイズする好み情報および個人化情報52を管理し、（4）宣伝および販売のためのフィードバックを可能にするように使用状況に関する報告書を作成し、かつ（5）eコマース取引の作成および記録を可能にする、サーバステージングソフトウェア50を実行する。実行時に、サーバは、視聴されるビデオコンテンツを示す、ユーザと移動装置の対話によって作成されたタグを用いて、マップ29に記憶されている関連性に基づいて、関連する対話コンテンツを識別し与えることができる。サーバは、対話コンテンツを、より一般的な好み情報および個人化情報52に基づくコンテンツとすることができる。
【００３７】
さらに詳しく移動装置に言及すると、無線機能34、36は、PCS、携帯電話、Bluetooth（登録商標）、802.11、WiFi、赤外線、または他の技術を含む様々なプロトコルのうちのどれかを使用することができる。移動装置は、ビデオ装置を駆動するビデオフィード60に接続し、たとえば、汎用リモートコントローラがテレビ、VCR、セットトップボックス、または他のビデオ装置を制御するように、このビデオフィード60を制御することができる。移動装置は同時に、ネットワーク44に接続しなければならない。
【００３８】
移動装置は、たとえば、Compaq iPaqやPalm Pilotなどの無線使用可能PDAや、カラーLCD画面と、テレビ、VCR、セットトップボックス、または他のビデオ装置を制御する赤外線リンクと、インターネットにアクセスできるようにローカルエリアネットワークに接続される802.11bカードとを含む種類の高度機能リモートコントローラであってよい。
【００３９】
システムのある使用例において、テレビを視聴するユーザは、移動装置として働くユーザのリモートコントローラの画面でもビデオまたは静止画像を見る。このビデオまたは静止画像（ビデオフィードとは別の移動フィード62とみなすことができる。）は、ビデオフィード上に保持されるビデオコンテンツに対応するように（コンテンツ作成者による構成に応じて）連続的に変化する。  
【００４０】
ユーザがリモートコントローラを用いてビデオフィードのチャンネルを変更した場合、移動フィードは、サーバによって自動的に新しいチャンネルに変更される。リモートコントローラ上の情報および関数は、ネットワーク上でリアルタイムに更新され、サーバによってビデオフィードと同期させられる。
【００４１】
リモートコントローラ上に表示される移動フィードは、適時「ホットな」アイコンを表示して、対話が利用可能であることをユーザに示す。対話機会は、移動フィードのコンテンツ作成者によって事前に決定される。対話が利用可能であることがユーザに示されたときにユーザがビデオフィード上のビデオコンテンツに関心をそそられた場合、ユーザは画面上のホットアイコンを軽くたたき（あるいは音声コマンドまたはキーボードによって対話機会を呼び出し）、コンテンツにタグ付けすることができる。ユーザインタフェースから見ると、ユーザがコンテンツにタグ付けすると、ホットアイコン移動フィードアイコンは移動フィードウィンドウから、後でアクセスできるように記憶されるフォルダまたは領域に移動する。記憶されたアイコンは、ユーザが後で、タグ付け者が作成した対話情報または関数にアクセスするのにクリックすることのできるリンクを表す。ユーザは、情報または関数にアクセスし、それを保存し、記憶し、送信することができる。タグ付け者は、ユーザが情報または関数を編集できるかどうかを判定することができる。ユーザは、移動装置上のタグ付けされた情報にアクセスするか、あるいは画面および入出力機能を有するコンピュータ、テレビ、またはその他の装置のような他の装置に送信することができる。対話コンテンツは、携帯可能であり、他の人および他の装置に送信することができる。
【００４２】
ビデオフィードと移動フィードとの間でコンテンツを同期できるようにするため、移動装置は、ビデオフィードのチャンネルがオンであることを確認し、このチャンネルをサーバに報告することができる。移動装置がリモートコントローラ機能を有する移動装置である場合、ユーザがチャンネルを変更すると、コントローラが自動的にこのチャンネルIDを知り、かつこのチャンネルIDをサーバに報告することができる。    
【００４３】
あるいは、ユーザが、チャンネルを変更するときに移動装置にチャンネルの番号を具体的に入力するか、またはテレビ、セットトップボックス、またはVCRが、ユーザによるチャンネルの変更時に移動装置に現在のチャンネル情報を送信することができる。移動装置は、チャンネル情報を判定することによって、移動フィードをビデオフィードに同期させるのに必要な情報をサーバに与えることができる。
【００４４】
コンテンツ作成ソフトウェアは、ウェブサイト開発ソフトウェアの簡単なバージョンと同様のソフトウェアであってよい。
【００４５】
移動フィードは、移動装置が検索する情報とビデオフィードの同期を制御する。場合によっては、移動フィードはビデオフィードを増補または補足する補助情報を与えることができる。コンテンツ作成ソフトウェアは、対話を示すホットアイコンを移動フィードに埋め込むツールも実現する。コンテンツ作成ソフトウェアは、リンクを作成すると共に、サーバ上でステージングされ移動装置または他のエンドユーザ装置上で視聴されるタグおよび情報を構築するモジュールも有する。
【００４６】
サーバは、移動フィードおよび埋め込みリンクをステージングする。コンテンツ作成者は、利用可能なソフトウェアを用いて、移動フィードと、ユーザがコンテンツにタグ付けするときにアクセスする埋め込み情報との両方を作成する。移動フィードは、テキストでも写真でもよく、場合によってはフル映像であってもよい。
【００４７】
ビデオフィードの送信元および移動フィードの送信元は1つの場所に位置することも、2つの異なる場所に位置することもできる。
【００４８】
移動装置のユーザに与えることのできるユーザインタフェースの一例を図1から図23に示す。テレビの視聴時には、PDAは、テレビプログラムで示されているものに直接または間接的に関係する画像または情報を表示することができる。
【００４９】
ユーザは、移動フィードから得られた情報をPDA上で見るときにその情報にブックマークまたはフラグ（またはタグ）付けすることができる。ブックマークまたはフラグ付けされた項目は、後でユーザに都合の良いときにサーバから検索することができる。
【００５０】
たとえば、ユーザは、野球などのプログラムのショートクリップをテレビで見る場合に、このプログラムにブックマーク付けしたいことをPDAインタフェースを通して示すことができる。ユーザは後でプログラムに関する追加の情報をサーバから検索することができる。
【００５１】
一般に、本発明により、ユーザは、テレビを視聴しつつ、情報と対話の第2の並列同期ソースを使用して、PDA上に表示された関心対象の項目を識別し、かつこの関心対象の項目を後で検索するか、またはこの項目に対して何らかの処置をとることができる。
【００５２】
図1は、テレビの遠隔制御に使用されるチャンネルつまみおよび音量つまみを左側に示している。現在のチャンネルは、082チャンネルのMTVニュースである。
【００５３】
図2は、テレビに表示されている関連するセグメントに関連付けられた「ソース・ヒップホップ音楽賞（The Source Hip-Hop Music Awards） 」に関するバナーを示している。ユーザが、この項目にブックマーク付けすることに関心を持った場合、下向き矢印が示されている場所を押し、ユーザの要求がサーバに送信され記憶される。
【００５４】
図3には異なるバナーが示されており、ユーザはこの場合も、下向き矢印を押すことによってこの項目にブックマーク付けする機会を有する。
【００５５】
次の画面である図4には、図3で表示されたバナーに関連するアイコンが画面の下半分に示されており、ユーザがこの項目にブックマーク付けしたことを示している。
【００５６】
図7では、ユーザは、左上隅の9ボタンアイコンを押し、数値キーパッドで情報を入力したいことを示しており、アイコンのボタンが黒くなっている。
【００５７】
図8、図9、および図10で、キーボードが画面上で左から右にスクロールされている。図11、図12、および図13で、ユーザは043を押し、チャンネルをCNNヘッドラインスポーツ（CNN Headline Sports）に変更している。この情報はインターネットサーバに送信され、インターネットサーバは次いで、ユーザにテレビに送信されるプログラムマテリアルを変更する。次いで、このプログラムのバナーが画面の上部に表示される。
【００５８】
図15で、ユーザは、NASCARブリックヤード（NASCAR Brickyard） 400プログラムのバナーを見て、大きな下向き矢印を押してこのプログラムにブックマーク付けするか、またはチッカー（ticker）として示されている小さな下向き矢印を押す。
【００５９】
図16では、ブックマーク付けされた項目にNASCARアイコンが付加されている。
【００６０】
図17では、バナーが、テレビに同時に示されている短い項目に従ってシニア・バーネット・クラシック（Senior Burnet Classic）に変更されている。前述のように、ユーザは、これを、画面の下半分にあるユーザの1組のブックマーク項目に追加する機会を有する。
【００６１】
図18には、メジャーリーグ野球のスコアが示されている。図19では、ユーザがビルアーズ（Brewers）とドジャーズ（Dodgers）の試合のスコアを強調表示し、ブックマーク項目に追加している。
【００６２】
図21では、3人の優勝候補を含む、ブリックヤード400レースに関する情報がユーザに示されている。レースまたはスコアを視聴するか、あるいは商品を購入する機会がユーザに与えられる。図22では、ユーザは項目RACEを押しており、レースの写真の4つのサムネールが示されている。
【００６３】
左下の写真を押すことによって、図23の拡大画像がテキストキャプションと共にユーザに示される。
【００６４】
チッカー矢印によって、ユーザは、たとえば、テレビで野球の一連のショートクリップをブロードキャストするのとまったく同じように様々なショートクリップのシーケンス全体をスクロールすることができる。インターネットサーバはユーザに関する個人化情報をサーバ上に有しているので、ユーザがチッカー矢印を押したときにユーザが関心を持ったショートクリップのシーケンスが表示されるように、ユーザの好みに合うようにチッカーを変更することができる。
【００６５】
ブックマーク付けの結果として作成された任意のアイコンを、ユーザが単にそのアイコンを押すことによっていつでも呼び出すことができる。次いで、インターネットサーバは、そのアイコンに関係する画像、ビデオ映像、または情報を与える。
【００６６】
その他の実行も、添付の特許請求の範囲の範囲内である。
【図面の簡単な説明】
【００６７】
【図１】ユーザインタフェース画面を示す。
【図２】ユーザインタフェース画面を示す。
【図３】ユーザインタフェース画面を示す。
【図４】ユーザインタフェース画面を示す。
【図５】ユーザインタフェース画面を示す。
【図６】ユーザインタフェース画面を示す。
【図７】ユーザインタフェース画面を示す。
【図８】ユーザインタフェース画面を示す。
【図９】ユーザインタフェース画面を示す。
【図１０】ユーザインタフェース画面を示す。
【図１１】ユーザインタフェース画面を示す。
【図１２】ユーザインタフェース画面を示す。
【図１３】ユーザインタフェース画面を示す。
【図１４】ユーザインタフェース画面を示す。
【図１５】ユーザインタフェース画面を示す。
【図１６】ユーザインタフェース画面を示す。
【図１７】ユーザインタフェース画面を示す。
【図１８】ユーザインタフェース画面を示す。
【図１９】ユーザインタフェース画面を示す。
【図２０】ユーザインタフェース画面を示す。
【図２１】ユーザインタフェース画面を示す。
【図２２】ユーザインタフェース画面を示す。
【図２３】ユーザインタフェース画面を示す。
【図２４】ブロック図である。
【図１】
2015005292.tif 000003
【図２】
2015005292.tif 000004
【図３】
2015005292.tif 000005
【図４】
2015005292.tif 000006
【図５】
2015005292.tif 000007
【図６】
2015005292.tif 000008
【図７】
2015005292.tif 000009
【図８】
2015005292.tif 000010
【図９】
2015005292.tif 000011
【図１０】
2015005292.tif 000012
【図１１】
2015005292.tif 000013
【図１２】
2015005292.tif 000014
【図１３】
2015005292.tif 000015
【図１４】
2015005292.tif 000016
【図１５】
2015005292.tif 000017
【図１６】
2015005292.tif 000018
【図１７】
2015005292.tif 000019
【図１８】
2015005292.tif 000020
【図１９】
2015005292.tif 000021
【図２０】
2015005292.tif 000022
【図２１】
2015005292.tif 000023
【図２２】
2015005292.tif 000024
【図２３】
2015005292.tif 000025
【図２４】
2015005292.tif 000026
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
移動装置の近くのビデオ装置に配信されるビデオフィードのためのチャンネル情報を決定する手段であって、該ビデオフィードからのビデオコンテンツがビデオ装置に表示されている、手段、
ワイドエリアネットワーク上で直接リモートサーバに該チャンネル情報を提供するための手段、
該ビデオコンテンツが表示されている時に、該リモートサーバからワイドエリアネットワーク上で配信されたモバイルフィードを受信するための手段であって、該モバイルフィードが該ビデオコンテンツと関連した対話型マテリアルを含む情報を含みかつ該ビデオフィードとは異なる、手段、
該ビデオ装置による該ビデオコンテンツの表示と同期して、該移動装置のディスプレイに該受信された情報および該対話型マテリアルを表示するための手段であって、該表示される対話型マテリアルが該移動装置のユーザからの入力を受信するための要素を含む、手段
を含む、対話型マテリアルを表示するための移動装置。
【請求項２】
前記対話型マテリアルが、前記移動フィード中に前記リモートサーバによって連続的にブロードキャストされ、ビデオ装置に表示されている変化するビデオコンテンツと時間的に動的に同期して移動装置によって表示される、請求項1記載の移動装置。
【請求項３】
前記移動装置が、リモートコントローラ、パーソナルデジタルアシスタント、または携帯電話のうちの少なくとも1つである、請求項1記載の移動装置。
【請求項４】
入力を受信するための前記要素が前記移動装置上に表示された選択可能なアイコンであり、かつ、
該移動装置のディスプレイに表示されている対話型マテリアル中のアイコンのユーザ選択に応答して、対話型マテリアルの項目に対するユーザの関心を表すタグを、前記移動装置によって、作成するための手段と、
前記リモートサーバに該タグを送信するための手段と、
該タグの送信に応答して該サーバから追加の情報を受信するための手段と
をさらに含む、請求項1記載の移動装置。
【請求項５】
前記タグが選択の時間と該選択の時間におけるビデオコンテンツのチャンネルを取り込み、該タグはワイドエリアネットワーク上で前記リモートサーバに送信される、請求項4記載の移動装置。
【請求項６】
前記タグが、前記移動装置から前記リモートサーバに前記ワイドエリアネットワーク上で問合せを送信することによって、前記選択に応答して作成される、請求項4記載の移動装置。
【請求項７】
前記対話型マテリアルが、テキスト、画像、ビデオ映像、オーディオのうちの少なくとも1つを含む情報を含む、請求項1記載の移動装置。
【請求項８】
ビデオコンテンツに関連する対話型マテリアルを提供するサーバであって、
移動装置の近くのビデオ装置に配信されるビデオフィードのチャンネルIDを、ワイドエリアネットワーク上で、移動装置から受信するための手段であって、該ビデオフィードのコンテンツが該ビデオ装置に表示されている、手段、
ユーザからの入力を受信するための要素を含む対話型マテリアルを含む情報の移動フィードを、ワイドエリアネットワーク上で、該移動装置に配信するための手段であって、該移動フィードにおける該対話型マテリアルの表示が該ビデオ装置による該ビデオコンテンツの表示と同期され、該移動フィードが該ビデオフィードとは異なる、手段、および
該ビデオフィードの該チャンネルIDに基づいて、ビデオコンテンツに関連する対話型マテリアルを識別するための手段
を含む、サーバ。
【請求項９】
ビデオコンテンツの視聴者と関連する好み情報に基づいて、前記対話型マテリアルの少なくとも1つがサーバによって識別される、請求項8記載のサーバ。
【請求項１０】
タグは、該ビデオコンテンツに対するユーザの関心の時間を示す、前記移動装置からの問合せに応答して、前記サーバによって作成され、表示可能であり、かつ前記移動装置のユーザによって選択可能な追加の情報への埋め込まれたリンクを含み、該移動装置に配信される、請求項8記載のサーバ。
【請求項１１】
前記サーバが、前記移動フィードに含まれるとともに前記ビデオコンテンツと動的に同期する、変化する1組のタグを生成する、請求項8記載のサーバであって、該タグが、ユーザによって選択され得る追加の情報への埋め込まれたリンクを含む、サーバ。